(57)【要約】【課題】  解決しようとする問題点は、時計の針の背面に無電力で画像を記憶可能な液晶パネルを用いた場合、高精細な画像を表示するためには時計内に液晶のドライバー回路を備える必要があった。又パネルを高精細化するとパネル作成の複雑化によるコスト増も生じてしまった。これらが時計の小型化、廉価化の障害になっていた点である。また、上記問題点を解消するため光書込型液晶パネルを文字盤として用いた場合、時計の針が液晶パネル上に影を作ってしまい、該影の部分には液晶パネルへの書込みが充分に行えないという問題が発生する点である。【解決手段】  液晶パネルとして、光照射によって表示内容が書き換わる光書込み型の液晶パネルを用いた。また液晶表示パネルの表示内容を書き換えるために、液晶パネルへの光照射時には、時針および分針を移動した。【選択図】        図１
2005233616.tif 000002
【特許請求の範囲】
【請求項１】
情報を表示するための針を有し、該針の背面に液晶パネルが配置された時計であって、
前記液晶パネルが光照射によって表示内容が書き換わる光書込み型の液晶パネルであることを特徴とする液晶パネルを備えた時計。
【請求項２】
前記液晶表示パネルの表示内容を書き換えるために、前記液晶パネルへの光照射時には、前記針を移動することを特徴とする請求項１に記載の液晶パネルを備えた時計。
【請求項３】
前記液晶パネルへ光照射しながら、前記針を移動することを特徴とする請求項２に記載の液晶パネルを備えた時計。
【請求項４】
前記針の移動前後に光照射が複数回行われることを特徴とする請求項２に記載の液晶パネルを備えた時計。
【請求項５】
情報を表示するための針を有し、該針の背面に液晶パネルが配置された時計の製造方法であって、
前記針の背後に光照射によって表示内容が書き換わる光書込み型の液晶パネルを配置する工程と、
前記液晶パネルの表示内容を書き換えるために前記液晶パネルに光を照射する光照射工程と、前記針を移動する針移動工程とを有することを特徴とする液晶パネルを備えた時計の製造方法。
【請求項６】
前記光照射工程中に前記針移動工程が行われることを特徴とする請求項５に記載の液晶パネルを備えた時計の製造方法。
【請求項７】
前記光照射工程中に、光照射を一旦停止し、前記針移動工程が行われ、再度光照射を開始することを特徴とする請求項６に記載の液晶パネルを備えた時計の製造方法。
【請求項８】
前記光照射工程中に、前記針が、断続または連続移動していることを特徴とする請求項６に記載の液晶パネルを備えた時計の製造方法。
【発明の詳細な説明】
【技術分野】
【０００１】
本発明は、情報を表示するための針を有し、その背面に液晶パネルを備えた時計、及びその製造方法に関する。
【背景技術】
【０００２】
情報を表示するための針を備え、その背面に液晶パネルを備えて文字盤とした時計に関しては、液晶パネルとして表示維持状態で電力を消費しない強誘電性液晶パネルを用い、かつ時計外から該強誘電性液晶パネルの表示書き換え電気信号を伝送することにより、時針、分針の背面画像の自由度が高く、かつ低消費電力で小型の時計を実現するという提案がなされている（例えば特許文献１参照）。
【０００３】
ここで強誘電性液晶パネルの説明をしておく。
図１２および図１３は、強誘電性液晶の分子長軸方向と電界との関係を示す説明図である。
図１２のように、電界Ｅが図面表から裏に向かって印加されている場合は、液晶分子ＬＣＭの第１の強誘電状態である平均的な分子長軸方向Ｍは、配向膜の配向軸ＯＡを中心に角度θ１傾いて安定している。一方図１３のように、電界Ｅを図面裏から表に向けて印加した場合は、液晶分子ＬＣＭの第２の強誘電状態である分子長軸方向Ｍは、配向軸ＯＡに対して時計回りに角度θ２傾いて安定している。
【０００４】
すなわち、液晶分子ＬＣＭは、分子長軸方向Ｍを動直線として描くコーン形状の側面上を転移している。また角度θ１と角度θ２の和（θ１＋θ２）が第１の強誘電状態である液晶の平均的な分子長軸方向と、第２の強誘電状態である液晶の平均的な分子長軸方向との間の角度、つまり円錐（コーン）の中心角θ（すなわち、コーン角度）となる。
【０００５】
図１４は、強誘電性液晶の分子長軸方向と偏光板の透過軸との関係を示す説明図で、強誘電性液晶層を狭持する２枚の透明基板の外側にそれぞれ第１と第２の偏光板が設けられている。
図１４に示すように、通常、強誘電性液晶を使用する場合には、第１の偏光板の透過軸Ｐ１と第２の偏光板透過軸Ｐ２とを、略９０°の角度をなすように配置する。そして、第１の偏光板の透過軸Ｐ１と第２の偏光板の透過軸Ｐ２のどちらか一方を、第１または第２の強誘電状態のときの分子長軸方向Ｍに一致させる（図示例では、前記第１もしくは第２の強誘電状態における分子長軸方向Ｍを透過軸Ｐ１に一致させている）。このように配置すると、黒表示時の透過率を小さくすることができる。電界Ｅの向きが逆になると、液晶分子ＬＣＭが配向軸ＯＡを対称軸として移動して白表示となり、透過率を大きくすることができる。
【０００６】
図１５は強誘電性液晶の電界強度すなわち印加電圧と透過率との関係を示した図で、第２の強誘電状態における分子長軸方向Ｍを透過軸Ｐ１に一致させた場合の特性である。
図１５において、印加電圧を０Ｖから＋側に徐々に増加させていくとＶ１を越えた時から透過率が増加し始める。透過率は印加電圧がＶ１を越えてＶ２に達したとき最大値、すなわち白表示状態、に達して飽和し、Ｖ２以上の電圧を印加しても最大値を維持する。次に印加電圧を−側に向けて徐々に変化させていくと、印加電圧がＶ２，Ｖ１，０Ｖを越えても透過率は最大値を維持し、−側の電圧Ｖ３を越えると透過率が減少し始める。透過率は印加電圧がＶ３を越えてＶ４に達したとき最小値、すなわち黒表示状態、に達して飽和し、Ｖ４以上の−電圧を印加しても最小値を維持する。次に印加電圧を＋側に向けて徐々に変化させていくと、印加電圧がＶ４，Ｖ３，０Ｖを越えても透過率は最小値を維持し、
＋側の電圧Ｖ１を越えると透過率が増加し始める。
以下、電圧の変化に対して図１５に示すように、上記の状態を繰り返す。すなわち強誘電性液晶パネルの印加電圧−透過率特性はヒステリシス特性を示し、Ｖ１を越える＋側の電圧か、Ｖ３を越える−側の電圧を印加しない限りそれまでの表示状態を維持する。すなわちメモリー性を有しており、例えば０Ｖを印加し続ければ電力消費ゼロで書き込まれた表示を維持できる。
なお図示のように、透過率が最大値を維持している状態が第１の強誘電状態であり、最小値を維持している状態が第２の強誘電状態である。
【０００７】
このように、強誘電性液晶を情報を表示するための針の背面に設けると、すなわち従来の文字盤として用いると、文字盤模様の自由度が高くかつ低消費電力の時計が実現できる。しかし特許文献１の技術では液晶パネルの表示書き換え電気信号を時計外から伝送しているため、画面の精細度に応じた数の信号を伝送するか、時計内に液晶のドライバー回路を備えるかしなければならなかった。また高精細の文字盤模様をだそうとするとパネル作成の複雑化によるコスト増も生じてしまった。これらが時計を小型化する際や、安価に構成しようとする際に問題を生じていた。
【０００８】
【特許文献１】特開２００２−１４９１２４
【発明の開示】
【発明が解決しようとする課題】
【０００９】
解決しようとする問題点は時計の情報を表示するための針の背面に無電力で画像を記憶可能な液晶パネルを用いた場合、従来の技術では高精細な画像を表示するためには時計内に液晶のドライバー回路を備える必要があった。又パネルを高精細化するとパネル作成の複雑化によるコスト増も生じてしまった。これらが時計の小型化、廉価化の障害になっていた点である。
また、上記問題点を解消するため光書込型液晶パネルを文字盤として用いた場合、光書込みによって画像を書き込む際、時針、分針等の時計の情報を表示するための針が液晶パネル上に影を作ってしまい、該影の部分には液晶パネルへの書込みが充分に行えないという問題が発生する点である。
【課題を解決するための手段】
【００１０】
本発明による液晶パネルを備えた時計は、情報を表示するための針を有し、該針の背面に液晶パネルが配置された時計であって、前記液晶パネルが光照射によって表示内容が書き換わる光書込み型の液晶パネルであることを特徴とする。
【００１１】
また本発明による液晶パネルを備えた時計は、前記液晶表示パネルの表示内容を書き換えるために、前記液晶パネルへの光照射時には、前記針を移動することを特徴とする。
【００１２】
また本発明による液晶パネルを備えた時計は、前記液晶パネルへ光照射しながら、前記針を移動することを特徴とする。
【００１３】
また本発明による液晶パネルを備えた時計は、前記針の移動前後に光照射が複数回行われることを特徴とする。
【００１４】
また本発明による液晶パネルを備えた時計の製造方法は、情報を表示するための針を有し、該針の背面に液晶パネルが配置された時計の製造方法であって、前記針の背後に光照射によって表示内容が書き換わる光書込み型の液晶パネルを配置する工程と、前記液晶パネルの表示内容を書き換えるために前記液晶パネルに光を照射する光照射工程と、前記針
を移動する針移動工程とを有する
【００１５】
また本発明による液晶パネルを備えた時計の製造方法は、前記光照射工程中に前記針移動工程が行われることを特徴とする。
【００１６】
また本発明による液晶パネルを備えた時計の製造方法は、前記光照射工程中に、光照射を一旦停止し、前記針移動工程が行われ、再度光照射を開始することを特徴とする。
【００１７】
また本発明による液晶パネルを備えた時計の製造方法は、前記光照射工程中に、前記針が、断続または連続移動していることを特徴とする。
【発明の効果】
【００１８】
本発明による液晶パネルを備えた時計は、時計の時針、分針等の情報を表示するための針の背面の文字盤が光書込み型の液晶パネルで構成されている。従って高精細な表示を無電力で保持することが出来る。また光書込型であるため画像が高精細であっても複雑なインタフェースや、時計内に液晶のドライバー回路を備えることは不要であり、さらに液晶パネルの高精細化による液晶パネルの製造コスト増も招くことはなく、時計の小型化、廉価化、画像の高精細化が可能である。
さらに、光書込み時に時計の針を移動して書込み光を照射しているため、時計の針が書込み光の影の原因となって、書込みが充分に行えないことを避けることが出来、針表示式の時計においても光書込み型液晶パネルの使用を可能にしている。
【発明を実施するための最良の形態】
【００１９】
本発明による液晶パネルを備えた時計は、情報を表示するための針を有し、該針の背面に光照射によって表示内容が書き換わる光書込み型の液晶パネルを備えている。
また、前記液晶表示パネルの表示内容を書き換えるために、前記液晶パネルへの光照射時には前記針を移動させている。
【００２０】
また本発明による液晶パネルを備えた時計の製造方法は、情報を表示するための針を有し、該針の背面に光照射によって表示内容が書き換わる光書込み型液晶パネルが配置された時計の製造方法であって、光書込み型の液晶パネルを配置する工程と、前記液晶パネルの表示内容を書き換えるために前記液晶パネルに光を照射する光照射工程と、前記針を移動する針移動工程とを有している。
【実施例１】
【００２１】
図１は本発明で用いた光書き込み型の液晶パネルを文字盤に持つ腕時計の概略図と断面図である。本実施例で用いた時計は時刻表示を針で行うアナログタイプの時計である。文字盤は光書き込み型の強誘電性液晶パネルを用いており、図３に示した専用の文字盤デザイン書き込み装置で、文字盤に任意のデザインの光書き込みを行う。文字盤はメモリー性を持った強誘電性液晶で構成されており、図３に示した専用の文字盤デザイン書き込み装置で任意のデザインを書き込んだ後は、その表示を保持しておくことが出来る。
【００２２】
図１（ａ）において、１２が文字盤として用いられる光書込型液晶パネル、１４は光書込用のインタフェースで、この部分から光書込時に必要な電気信号が接続される。このインタフェースは光書込型液晶の場合非常に簡単に構成することが可能である。
【００２３】
図１（ｂ）は図１（ａ）の時計の情報を表示するための針を含む文字盤部の断面図で、上側の透明基板１４と下側の透明基板１６とで液晶層２８を狭持し、上側の透明基板１４の液晶層２８側には透明電極１８と配向膜２２が、上面側には偏光板３０が設けられており、下側の透明基板１６の液晶層２８側には透明電極２０と光導電体２６と配向膜２４が
、下面側には反射型偏光板３２が設けられており、透明基板１４，１６の縁及び後述する時計針軸３４の周囲にはシール４２が設けられて液晶パネル４４を構成している。
液晶パネル４４の中央部には穴部が形成され、その中を時計針軸３４が貫通している。時計針軸３４には時針３８と分針３６とが取り付けられている。
液晶パネル４４及び時計針軸３４は時計基板４０上に配置されている。
なお本明細書では時計の情報を表示するための針として時針３８と分針３６のみを記載しているが、例えば秒針やアラーム時刻表示針のような他の情報を表示する針を有する時計においても、該針を本発明の説明と同様に制御すれば同様の効果が得られる。
【００２４】
図１（ｂ）において、文字盤に用いた液晶パネル４４は約１．７μの厚さの強誘電性液晶層２８を持つ一対のガラス基板１４，１６から構成されている。ガラス基板の対向面には透明電極１８，２０が形成されているが、光書き込み型のディスプレイであるために、透明電極上に画素を構成する必要がなく画素パターンは形成されていない。上側のガラス基板１４側の透明電極１８上にはＳｉＯ物質を約６００Åの膜厚で蒸着し配向膜２２とした。また下側のガラス基板３２に於いては、透明電極２０上に光が照射されると抵抗値が低下する光導電性物質として約１μｍの厚みでａ-Ｓｉ:Ｈ（アモルファス  シリコン）膜が光導電体２６として成膜されており、この光導電性物質上に約６００Åの厚みのＳｉＯが配向膜２４として成膜されている。なお光書込型液晶で、メモリー性を有する液晶材料として、光導電層を備える必要がない液晶材料を用いる場合は、この光導電層を省略することが出来る。上側のガラス基板１４の外側には、偏光板の偏光軸と、電圧無印加時に第２の強誘電状態である強誘電性液晶分子の平均的分子軸方向とが、平行になるように偏光板３０を設置し、他方のガラス基板１６の外側には反射型偏光板３２を設置した。光導電体２６の層が液晶パネル４４を光書込可能にしている。
なお光書込み型液晶でかつ無電力で画像保持可能な液晶としては、強誘電性液晶、コレステリック液晶等があるが、本明細書では強誘電性液晶を例にとって説明する。
【００２５】
図２は液晶パネル４４に光で画像を書き込む原理を説明する図で、液晶パネル４４の光照射による時定数の差を示している。
図２において、横軸は時間、縦軸は電圧で、図１（ｂ）の透明電極１８，２０間に電圧Ｖｗを印加すると、液晶パネルの光が照射された部分は、６４光ＯＮの曲線に示すように、応答が早く、短時間で液晶に電圧差Ｖｗが生じ、光が照射されない部分は、６２光ＯＦＦの曲線に示すように、応答が遅く、液晶に電圧差Ｖｗが生じるのに時間がかかる。
このように光の照射によって時定数（応答速度）に差が出るのは、光導電体２６の層の働きによるもので、光導電体２６を構成するａ-Ｓｉ:Ｈは光の照射部分と非照射部分とで抵抗値に１００倍〜１０００倍の差が生じるためである。
印加電圧Ｖｗを図１５のＶ２に設定すれば、電圧の印加をしてから一定の時間の後には、光照射部の電圧は図１５のＶ２と同じ、光非照射部の電圧は図１５のＶ１よりも小さいという状態を現出しうる。この状態で光照射部は第１の強誘電状態をとり、光非照射部は第２の強誘電状態をとる。
【００２６】
光導電体２６の層を有する液晶パネル４４はこのような特性を有しているため、液晶パネル４４への光の照射時間、透明電極１８，２０間への印加電圧値、印加電圧時間、光導電体２６の層厚等を調整することで、光が照射された部分には白を、照射されない部分には黒を書き込むことが出来る。すなわち光書込み型の液晶パネルが実現できる。
このようにして書き込まれた画像は図１５に示したＶ１，Ｖ３よりも絶対値が大きな電気信号を印加されない限り保持される。すなわち、例えば透明電極１８，２０とを電気的短絡状態にして印加電圧を０Ｖに維持しておけば、無電力で半永久的に画像を保持可能である。
【００２７】
図３は本発明による時計の液晶パネルに画像を書き込む装置、すなわち文字盤デザイン
書き込み装置を示した図で、時計５０はボックス４６内の温度調節プレート４８上に置かれ、光源５４の出射光５７がレンズ５６で平行光５８に変換され、シャッター５２を介して時計５０に照射されている。図示していないが、時計５０は光書き込み用インターフェイスを介して文字盤デザイン書き込み装置と接続されており、書き込み電圧と信号が光源５４の光出射とほぼ同期して時計５０に伝達される。
【００２８】
本実施例においては図３において、光書き込みを行う場合には文字盤デザイン書き込み装置内の温度調節プレート４８上に時計５０を置き、温度調節を行う温度調節プレート４８を用いて光り書き込み時には時計の温度を室温よりも上昇させている。
【００２９】
図５に示すように強誘電性液晶パネルの印加電圧−透過率特性は、液晶の温度によって変化し、高い温度Ｔ２においては低い温度Ｔ１の場合よりも液晶のＶｔｈが下がる。
本実施例においては光書込み時に液晶パネル４４の温度を上げることによりＶｔｈを下げ書き込みがより低電圧で行えるようにしている。またこのような方式をとると、液晶の常温でのＶｔｈを高めに設定できるので、より安定に画像の保持が出来る。
なお、液晶パネル４４の温度を上げなくとも書き込みが可能なことは勿論である。
【００３０】
文字盤デザイン書き込み装置には光源５４からの出力光５７，５８が時計５０の文字盤に照射されることを制御するための２次元シャッター５２が搭載されており、表示したいデザインに応じてシャッターが平行光５８を部分的にＯＮ、ＯＦＦし、光が時計の文字盤に照射されることを制御する。
図４は２次元シャッター５２の例で、黒の部分が光を遮断し、白の部分が光を透過する。液晶パネル４４が光書込み型であるため、シャッター５２としてフィルムタイプのものでも液晶パネルタイプのものでも自由に用いることが出来、文字盤のデザインの自由度が飛躍的に上昇する。また電気的に画像を書き込む従来の液晶パネルのように、画素数による分解能の低下を考慮する必要もない。
【００３１】
図６は画像書き込み時のタイミングを示した図で、図６に示した「印加電圧」は液晶パネル４４の全面に印加されている電圧である。光が照射される直前に図５に示すような±７ｖの電圧が約５００μＳｅｃ.印加され（ｔＲ＝５００μＳｅｃ.）、文字盤の全領域をリセットし、全体を黒表示にする。なお期間ｔ２に印加する−７Ｖが全体を黒表示にする電圧で、−７Ｖが図１５におけるＶ４よりも絶対値の大きな負電圧となっている。期間ｔ２に先立つ期間ｔ１に印加している＋７Ｖは液晶パネルに直流電圧分が印加されないようにするための交流化用である。したがって期間ｔ１と期間ｔ２はほぼ等しい時間となっている。その後±５ｖのパルスが約１００μＳｅｃ.印加され（ｔＷ＝１００μＳｅｃ.、ｔ３＝ｔ４）、これに同期して光源５４から光が照射される（光源がＯＮとなる）。２次元シャッター５２によって平行光５８は、液晶パネル４４への書き込み画像が所定のデザインとなるように、時計の文字盤である液晶パネル４４に選択的に光を照射する。光源５４がＯＮとなると、図６の「光導電体層抵抗値」に示すように、光が照射された領域（ＯＮ）では光導電体２６の抵抗値が低くなり、光非照射領域（ＯＦＦ）では光導電体２６の抵抗値が高いままとなる。したがって液晶セルの光が照射された部分だけに低抵抗を介して電圧が印加され、５０μＳｅｃ.（ｔ４）以内で液晶物質への印加電圧が閾電圧を超えることにより、液晶分子のスイッチングが行われ白表示となる。
書き込みが終了した後は（期間ｔＨ）液晶パネル４４への印加電圧は０Ｖにしている。この期間ｔＨに透明電極１８，２０をオープン状態にしても同様に画像が保持されることは勿論である。
【００３２】
文字盤を構成している、液晶セル４４の透明電極１８，２０は、図７に示す１２時方向の一部分７６だけが他の領域７４と分離されており、独立して電圧が印加される。本実施例では光書き込みが２回に分けて行われ、第１回目においては図８（ａ）に示すように、
時計の分針３６と時針３８は１２時方向にそろえられていて、第１回目の光照射では、１２時方向の一部分７６には電圧が印加されず書き込みが行われないため、表示が行われない。しかし第２回目の光照射の時には図８（ｂ）に示すように、分針３６と時針３８は６時の方向に移動され、独立している１２時方向の領域７６にのみ電圧が印加され、光書き込みが行われる。その結果針が影をつくって書き込みの障害となることがなく、全ての領域の書き込みが行うことができた。
このような１２時方向の一部分７６の分離は、透明電極１８，２０の双方もしくはどちらか一方のみで行っている。
【００３３】
このように本発明の液晶パネルを備えた時計は、インタフェースとしては透明電極に与える信号線数本で高精細の画像が書き込み可能である。一方例えば特許文献１の技術のように、電気信号で液晶パネルに画像を書き込もうとすると、画面の精細度に応じた数の信号を伝送するか（例えばＱＶＧＡの場合は３２０本＋２４０本）、時計内に液晶のドライバー回路を備えるかしなければななかった。小型化、廉価化また画像の高精細化の上で本発明の効果が大きいことは明らかである。
【実施例２】
【００３４】
図９，１０は本発明の第２の実施例を説明する図で、時計の針３６，３８は光書き込みが開始されるとその光照射及び電圧印加に同期して、はじめに図９の８２，８６の位置にあった全ての針が、例えば８４，８８の位置へと、１秒ごとに連続して回転し始める。文字盤である液晶パネル４４にはには、光が照射された部分だけに画像が書き込まれる。針３６，３８のある部分は光照射の陰となり光が当たらないために画像の書き込みが行われない。しかし本実施例では、図１０に示すようにはじめに全画面を黒にするリセット信号を与えた後、書き込み電圧印加と光照射は１秒ごとに６０回行われる。そのため針が１周すると文字盤全領域の画像の書き込みが完了する。
本実施例では１秒ごとに６０回書き込みを行っているが、例えば２秒毎に３０回の書き込みを行うというように、針を移動させながら複数回書き込むことにより、針による影の影響を軽減する書き込み方式はすべて本発明に属する。
【００３５】
また実施例１、２のような動作が行われない場合でも時計の針の陰をなくすために、時計の針の取り外しが可能な構造として、文字盤デザイン書き込み装置に時計をセットする時に、時計本体より針を取り外して光書き込みを行っても良い。
【００３６】
図１１は以上説明した本発明による時計の、製造時の行程を示したブロック図である。
図１１（ａ），（ｂ）を通じて本発明による時計の製造時の行程は、光書込み型の液晶パネルを配置する工程９０と、液晶パネルに光を照射する光照射工程９２と、時針および分針を移動する針移動工程９４とを有する。
【００３７】
図１１（ａ）は第１の製造方法を説明する図で、光書込み型液晶パネルを文字盤として有する時計は行程９０で図３に示した書き込み装置に配置される。この行程で時計のインタフェースと書き込み装置が接続される。次に光照射行程９２に移り、図３に示した光源５４がＯＮとなり、２次元フィルター５２を介して文字盤である液晶パネル４４に光が照射される。その間に針移動行程９４によって時計の時針３８，分針３６等の針の移動が行われ、該針による影の影響が軽減される。
この針移動行程９４においては、針を連続的に移動しても、断続的に移動しても良い。これら移動法の設定、それに伴う光源の光照射時間、印加電圧値、電圧印加時間等の設定は設計上の問題である。
【００３８】
図１１（ｂ）は第２の製造方法を説明する図で、時計は行程９０で図１１（ａ）と同様に書き込み装置に配置される。次に光照射行程９２で文字盤である液晶パネル４４に光が
照射されるが、ここでは時計の針の移動は行われない。第２の製造方法においては光照射行程９２の次に光照射停止行程９６を設けて光照射を一旦停止し、光照射の停止中に次行程の針移動行程９４で針の移動を行い、移動後に光照射行程９２に戻している。所定の回数この操作を繰り返して書き込みが完了する。
【００３９】
なお図１１（ａ），（ｂ）の針移動行程９４が針を取り外す操作も含むことはいうまでもない。
【図面の簡単な説明】
【００４０】
【図１】本発明で用いた光書き込み型の液晶パネルを文字盤に持つ腕時計の概略図と断面図である。
【図２】液晶パネルに光で画像を書き込む原理を説明する図である。
【図３】本発明による時計の液晶パネルに画像を書き込む装置である。
【図４】２次元シャッターの例である。
【図５】強誘電性液晶パネルの印加電圧−透過率特性の、温度依存性を示した図である。
【図６】第１の実施例における画像書き込み時の、信号のタイミングを示した図である。
【図７】第１の実施例における透明電極の分離形状を示した図である。
【図８】第１の実施例による光書込時の、時針及び分針の移動状況を示した図である。
【図９】第２の実施例による光書込時の、時針及び分針の移動状況を示した図である。
【図１０】第２の実施例における画像書き込み時の、信号のタイミングを示した図である。
【図１１】本発明による時計の製造方法を示したブロック図である。
【図１２】強誘電性液晶の分子長軸方向と電界との関係を示す説明図である。
【図１３】強誘電性液晶の分子長軸方向と電界との関係を示す説明図である。
【図１４】強誘電性液晶の分子長軸方向と偏光板の透過軸との関係を示す図である。
【図１５】強誘電性液晶の印加電圧と透過率との関係を示した図である。
【符号の説明】
【００４１】
３６，３８  情報を表示するための針
３８  時針
３６  分針
４４  液晶パネル
【図１】
2005233616.tif 000003
【図２】
2005233616.tif 000004
【図３】
2005233616.tif 000005
【図４】
2005233616.tif 000006
【図５】
2005233616.tif 000007
【図６】
2005233616.tif 000008
【図７】
2005233616.tif 000009
【図８】
2005233616.tif 000010
【図９】
2005233616.tif 000011
【図１０】
2005233616.tif 000012
【図１１】
2005233616.tif 000013
【図１２】
2005233616.tif 000014
【図１３】
2005233616.tif 000015
【図１４】
2005233616.tif 000016
【図１５】
2005233616.tif 000017